(57)【要約】  本発明は、例えばフルーティー、フルーティー−エキゾチックタイプのにおいノートを付与するための、その立体異性体のいずれか１つの又はそれらの混合物の形での式（Ｉ）［式中、ｎは１又は２を示す］のシクロペンタノン化合物の付香成分としての使用に関する。
2022502518.tif 000002
【特許請求の範囲】
【請求項１】
式（Ｉ）
【化１】
2022502518.tif 000019
［式中、ｎは１又は２を示す］
の化合物の、その立体異性体のいずれか１つ又はそれらの混合物の形での、付香成分としての使用。
【請求項２】
ｎが１を示すことを特徴とする、請求項１に記載の使用。
【請求項３】
付香組成物又は着香物品のにおい特性を付与する、高める、改良する又は改質するための方法であって、該組成物又は物品に、その立体異性体のいずれか１つ又はそれらの混合物の形での少なくとも式（Ｉ）
【化２】
2022502518.tif 000020
［式中、ｎは１又は２を示す］
の化合物の有効量を付加することを含む方法。
【請求項４】
ｎが１を示すことを特徴とする、請求項３に記載の方法。
【請求項５】
以下、
ｉ）  請求項１から４までのいずれか１項において定義した式（Ｉ）の化合物の少なくとも１つ、
ｉｉ）  香料キャリヤー及び香料ベースからなる群から選択される成分の少なくとも１つ、並びに
ｉｖ）  任意に香料補助剤の少なくとも１つ
を含む、付香組成物。
【請求項６】
請求項１から４までのいずれか１項において定義した式（Ｉ）の少なくとも１つの化合物、又は請求項５において定義した組成物を含む、着香消費者製品。
【請求項７】
消費者製品ベースが、香料、布地ケア製品、ボディケア製品、エアケア製品又はホームケア製品であることを特徴とする、請求項６に記載の着香消費者製品。
【請求項８】
消費者製品ベースが、精製した香料、スプラッシュ又はオーデパヒューム、コロン、シェーブローション又はアフターシェーブローション、液体又は固形洗剤、布地用柔軟剤、布地用リフレッシャー、アイロン水、紙、漂白剤、カーペットクリーナー、カーテンケア製品、シャンプー、染毛料、カラーケア製品、ヘアシェーピング製品、デンタルケア製品、消毒剤、インティメイトケア製品、ヘアスプレー、バニシングクリーム、デオドラント又は発汗抑制剤、脱毛剤、日焼け用製品、爪用製品、スキンクレンジング、メイクアップ、着香石鹸、シャワー又はバス用のムース、オイル又はゲル、又はフット／ハンドケア製品、衛生製品、エアフレッシュナー、「すぐに使用できる」粉末状エアフレッシュナー、カビ取り剤、ファーニッシャーケア、ワイプ、皿用洗剤又は硬質表面洗剤、レザーケア製品、カーケア製品であることを特徴とする、請求項７に記載の着香消費者製品。
【発明の詳細な説明】
【技術分野】
【０００１】
本発明は、香料の分野に関する。より詳述すれば、本発明は、シクロペンタノン化合物の付香成分としての使用に関する。本発明は、香料業界における前記化合物の使用、及び前記化合物を含む付香組成物又は着香物品に関する。
【０００２】
背景技術
我々の知る限り、本発明の化合物は、付香化合物として、又は一般ににおいを有するものとして公知でない。
【０００３】
本発明の化合物のいくつかは、それ自体公知であるが、例えば、Ｊ． Ａｍ． Ｃｈｅｍ． Ｓｏｃ．（１９９４， １１６， ４１８３−４１８８， Ｊ． Ｏｒｇ． Ｃｈｅｍ．， １９９４， ５９， ３１８６−３１９２， Ｂｉｏｃａｔａｌｙｓｉｓ， １９９４， １０， ２８９−２９４）、又はＣｈｅｍｉｓｔｒｙ Ｌｅｔｔｅｒｓ（１９８４， ８６９−８７０）において化学中間体としてのみ挙げられている。
【０００４】
しかしながら、これらの先行文献は、式（Ｉ）の化合物の任意の感覚刺激性、又は香料の分野における該化合物の任意の使用を報告又は示唆していない。
【０００５】
発明の要旨
本発明は、フルーティー−エキゾチックなノートを付与し、フローラルな側面がない式（Ｉ）の化合物に関する。
【０００６】
したがって、本発明の第一の目的は、式（Ｉ）
【化１】
2022502518.tif 000003
［式中、ｎは１又は２を示す］の化合物の、その立体異性体のいずれか１つ又はそれらの混合物の形での、付香成分としての使用である。
【０００７】
本発明の第二の目的は、付香組成物又は着香物品のにおい特性を付与する、高める、改良する又は改質するための方法であって、該組成物又は物品に、その立体異性体のいずれか１つ又はそれらの混合物の形での少なくとも式（Ｉ）
【化２】
2022502518.tif 000004
［式中、ｎは１又は２を示す］の化合物の有効量を付加することを含む方法である。
【０００８】
さらに、本発明の第三の目的は、
ｉ）前記で定義した式（Ｉ）の化合物の少なくとも１つ、
ｉｉ）香料キャリヤー及び香料ベースからなる群から選択される成分の少なくとも１つ、並びに
ｉｉｉ）任意に香料補助剤の少なくとも１つ
を含む、付香組成物である。
【０００９】
本発明の他の目的は、前記で定義した少なくとも１つの式（Ｉ）の化合物又は前記で定義した組成物を含む着香消費者製品である。
【００１０】
発明の説明
驚くべきことに、式（Ｉ）
【化３】
2022502518.tif 000005
［式中、ｎは１又は２を示す］の化合物を、その立体異性体のいずれか１つ又はそれらの混合物の形で、例えばフルーティー、フルーティー−エキゾチックのタイプのにおいノートを付与するために、付香成分として使用できることを見出した。
【００１１】
明確性の理由から、「その立体異性体のいずれか１つ又はそれらの混合物」の表現又は同様の表現に関しては、当業者によって理解される通常の意味、すなわち本発明の化合物が、純粋なエナンチオマーであるか、又はエナンチオマーの混合物の形であってよいことを意味する。
【００１２】
特定の本発明の一実施形態に従って、ｎは１を示す。
【００１３】
本発明の特定の実施形態に従って、式（Ｉ）の化合物は、２−（ヘキセ−５−エン−１−イル）シクロペンタン−１−オンである。
【００１４】
本発明の化合物の特定の例は、制限のない例として、フルーティー−ラクトン−エキゾチックな、マンゴー及びパッションフルーツのような嗅覚コノテーションを呈する、２−（ヘキセ−５−エン−１−イル）シクロペンタン−１−オンを挙げられる。
【００１５】
本発明の化合物のにおいを先行技術の化合物２−ペンチルシクロペンタン−１−オンと比較する場合に、本発明の化合物は、それら自体、明確に強いフルーティー−エキゾチックノートによって、及び先行技術の化合物の特徴のようなフローラル−ジャスミンのノートを欠くことによって特徴付けられる。
【００１６】
前記の違いによって、本発明による化合物及び先行技術による化合物は、それぞれ異なる使用に適しており、すなわち異なる感覚刺激性の印象を付与する。
【００１７】
前記のように、本発明は、付香成分として式（Ｉ）の化合物の使用に関する。言い換えれば、本発明は、付香組成物又は着香物品もしくは表面のにおい特性を付与する、高める、改良する又は改質するための方法に関し、該方法は、該組成物又は物品に、少なくとも式（Ｉ）の化合物の有効量を付加すること、例えばその典型的なノートを付与することを含む。最終的な心地よい効果は、本発明の化合物の正確な投与量及び感覚刺激特性に依存しうることを理解したが、いずれにしても、本発明の化合物の添加は、最終製品に、投与量に依存してノート、タッチ又は側面の形でその典型的なタッチを付与する。
【００１８】
「式（Ｉ）の化合物の使用」に関しては、化合物（Ｉ）を含む、及び香料業界において有利に使用されてよいあらゆる組成物の使用もここで理解すべきである。
【００１９】
実際に付香成分として有利に使用される前記組成物は、本発明の目的でもある。
【００２０】
したがって、本発明の他の目的は、
ｉ）付香成分として、前記の少なくとも１つの本発明の化合物、
ｉｉ）香料キャリヤー及び香料ベースからなる群から選択される少なくとも１つの成分、並びに
ｉｉｉ）任意に少なくとも１つの香料補助剤
を含む付香組成物である。
【００２１】
「香料キャリヤー」に関しては、本明細書では、香料の観点から事実上中性である、すなわち付香成分の感覚刺激性の特性を著しく変更しない材料を意味する。前記キャリヤーは、液体又は固体であってよい。
【００２２】
液体キャリヤーとしては、乳化系、すなわち溶剤及び界面活性剤系、又は香料において通常使用される溶剤を挙げてよいが、これらに制限されない。香料において通常使用される溶剤の性質及びタイプの詳細な説明は網羅できない。しかしながら、最も通常使用される溶剤、例えばブチレン又はプロピレングリコール、グリセロール、ジプロピレングリコール及びそのモノエーテル、１，２，３−プロパントリイルトリアセテート、ジメチルグルタレート、ジメチルアジペート、１，３−ジアセチルオキシプロパン−２−イルアセテート、ジエチルフタレート、イソプロピルミリステート、ベンジルベンゾエート、ベンジルアルコール、２−（２−エトキシエトキシ）−１−エタノール、又はトリエチルシトレート、又はそれらの混合物が挙げられるが、これらに制限されない。香料キャリヤー及び香料ベースの双方を含む組成物に関して、前記したものよりも適した他の香料キャリヤーは、エタノール、水／エタノール混合物、リモネン、又は他のテルペン、イソパラフィン、例えば商標名Ｉｓｏｐａｒ（登録商標）（供給元：Ｅｘｘｏｎ Ｃｈｅｍｉｃａｌ）又はグリコールエーテル及びグリコールエーテルエステル、例えば商標名Ｄｏｗａｎｏｌ（登録商標）（供給元：Ｄｏｗ Ｃｈｅｍｉｃａｌ Ｃｏｍｐａｎｙ）、又は硬化ヒマシ油、例えば商標名Ｃｒｅｍｏｐｈｏｒ（登録商標）ＲＨ ４０（供給元：ＢＡＳＦ）で公知のものであってもよい。
【００２３】
固体キャリヤーは、付香組成物又は付香組成物のいくつかの要素を、化学的又は物理的に結合することができる材料を示すことを意味する。一般に、かかる固体キャリヤーは、組成物又はいくつかの成分の蒸発の速度を調整するために、組成物を安定化するために使用される。固体キャリヤーは、当該技術分野において現在使用されており、当業者は所望の効果に達成するための方法を知っている。しかしながら、固体キャリヤーの制限のない例に関しては、吸収性ゴム又はポリマー又は無機材料、例えば多孔質ポリマー、シクロデキストリン、木質材料、有機もしくは無機ゲル、粘土、石膏タルク又はゼオライトが挙げられる。
【００２４】
固体キャリヤーの他の制限のない例としては、カプセル化材料を挙げてよい。かかる材料の例は、造壁材料及び可塑材料、例えば単糖、二糖又は三糖、天然デンプン又は化工デンプン、親水コロイド、セルロース誘導体、ポリビニルアセテート、ポリビニルアルコール、タンパク質又はペクチン、又はさらに、参考文献、例えばＨ． Ｓｃｈｅｒｚ， Ｈｙｄｒｏｋｏｌｌｏｉｄｅ： Ｓｔａｂｉｌｉｓａｔｏｒｅｎ， Ｄｉｃｋｕｎｇｓ− ｕｎｄ Ｇｅｌｉｅｒｍｉｔｔｅｌ ｉｎ Ｌｅｂｅｎｓｍｉｔｔｅｌｎ， Ｂａｎｄ ２ ｄｅｒ Ｓｃｈｒｉｆｔｅｎｒｅｉｈｅ Ｌｅｂｅｎｓｍｉｔｔｅｌｃｈｅｍｉｅ， Ｌｅｂｅｎｓｍｉｔｔｅｌｑｕａｌｉｔａｅｔ， Ｂｅｈｒ'ｓ Ｖｅｒｌａｇ ＧｍｂＨ ＆ Ｃｏ．， Ｈａｍｂｕｒｇ， １９９６において挙げられている材料を含んでよい。カプセル化を、当業者に周知の方法であり、かつ例えば噴霧乾燥、凝集又はさらに押し出しのような技術を使用することにより実施してよく、又はコアセルベーション及び複合コアセルベーション技術を含む被覆カプセル化からなる。
【００２５】
固体キャリヤーの制限のない例としては、特に、任意にポリマー安定剤又はカチオン性コポリマーの存在下で、重合によって、界面重合によって、コアセルベーションによって、又はその全てによって（前記技術の全ては先行技術に記載されている）誘発される相分離プロセスのような技術を使用したアミノプラスト、ポリアミド、ポリエステル、ポリウレアもしくはポリウレタンタイプの樹脂又はそれらの混合物（前記樹脂の全ては当業者に周知である）でのコア−シェルカプセルを挙げてよい。
【００２６】
樹脂は、アルデヒド（例えば、ホルムアルデヒド、２，２−ジメトキシエタノール、グリオキサール、グリオキシル酸又はグリコールアルデヒド及びそれらの混合物）と、アミン、例えば尿素、ベンゾグアナミン、グリコールウリル、メラミン、メチロールメラミン、メチル化メチロールメラミン、グアナゾール等、及びそれらの混合物との重縮合によって製造されうる。代わりに、予め形成した樹脂、アルキル化ポリアミン、例えば商標名Ｕｒａｃ（登録商標）（供給元：Ｃｙｔｅｃ Ｔｅｃｈｎｏｌｏｇｙ Ｃｏｒｐ．）、Ｃｙｍｅｌ（登録商標）（供給元：Ｃｙｔｅｃ Ｔｅｃｈｎｏｌｏｇｙ Ｃｏｒｐ．）、Ｕｒｅｃｏｌｌ（登録商標）又はＬｕｒａｃｏｌｌ（登録商標）（供給元：ＢＡＳＦ）で市販されているものを使用してよい。
【００２７】
他の樹脂は、ポリオール、例えばグリセロール、及びポリイソシアネート、例えばヘキサメチレンジイソシアネートの三量体、イソホロンジイソシアネートの三量体、又はキシリレンジイソシアネート、又はヘキサメチレンジイソシアネートのビウレット、又はキシリレンジイソシアネートの三量体と、トリメチロールプロパン（Ｔａｋｅｎａｔｅ（登録商標）の商標名で公知、供給元：Ｍｉｔｓｕｉ Ｃｈｅｍｉｃａｌｓ）との、中でもキシリレンジイソシアネートの三量体とトリメチロールプロパン及びヘキサメチレンジイソシアネートのビウレットとの重縮合によって製造されるものが好ましい。
【００２８】
アミノ樹脂、すなわちメラミンベースの樹脂とアルデヒドとの重縮合による香料のカプセル化に関する生産的な文献のいくつかは、Ａｃｔａ Ｐｏｌｙｍｅｒｉｃａ においてＫ． Ｄｉｅｔｒｉｃｈら（１９８９年、第４０巻、２４３頁、３２５頁及び６８３頁、並びに１９９０年、第４１巻、９１頁）によって公表されているような物を含む。かかる文献は、さらに詳細に説明され、かつ特許文献に例示されている先行技術の方法に従って、かかるコア−シェルマイクロカプセルの製造に影響を与える種々のパラメーターを既に記載している。米国特許第４３９６６７０号明細書（ＵＳ ４’３９６'６７０）（Ｗｉｇｇｉｎｓ Ｔｅａｐｅ Ｇｒｏｕｐ Ｌｉｍｉｔｅｄ）は、該文献の適切な初期の例である。それ以来、多くの他の著者は、この分野の文献を充実させており、出版された全ての進展内容をここで網羅することは不可能であるものの、カプセル化技術の一般知識は非常に重要である。かかるマイクロカプセルの適切な使用を開示している最近の関連文献の代表例は、例えば、Ｋ． Ｂｒｕｙｎｉｎｃｋｘ及びＭ． Ｄｕｓｓｅｌｉｅｒ（ＡＣＳ Ｓｕｓｔａｉｎａｂｌｅ Ｃｈｅｍｉｓｔｒｙ ＆ Ｅｎｇｉｎｅｅｒｉｎｇ， ２０１９， ｖｏｌ． ７， ｐａｇｅｓ ８０４１−８０５４）の文献によって示されている。
【００２９】
「香料ベース」に関しては、本明細書では、少なくとも１つの付香補助成分を含む組成物を意味する。
【００３０】
前記付香補助成分は、式（Ｉ）ではない。さらに、「付香補助成分」に関しては、本明細書では、心地よい効果を付与するための付香配合物又は組成物において使用される化合物を意味する。言い換えれば、付香補助成分であると考えられるべきかかる補助成分は、ポジティブな又は好ましい方法で組成物のにおいを付与又は改質することができ、かつ単に１つのにおいを有するだけでないと当業者によって認識される必要がある。
【００３１】
いずれにしても網羅的とはならないであろう前記ベース中に存在する付香補助成分の性質及びタイプは、ここでより詳細な記載を保証するものではなく、その際当業者は、一般の知識に基づいて、及び任意の使用又は適用及び所望された感覚刺激性効果に従って、前記ベースを選択することができる。一般的な用語で、これらの付香補助成分は、アルコール、ラクトン、アルデヒド、ケトン、エステル、エーテル、アセテート、ニトリル、テルペノイド、窒素又は硫黄の複素環化合物及び精油と多様な化学品種に属し、かつ該付香補助成分は、天然又は合成由来のものであってよい。
【００３２】
特に、類似の嗅覚ノートを有することについて公知の付香補助成分を挙げてよく、例えば以下のものである：
特に、香料配合物において慣用的に使用される付香補助成分を挙げてよく、例えば以下のものである：
−  アルデヒド成分：デカナール、ドデカナール、２−メチル−ウンデカナール、１０−ウンデカナール、オクタナール、ノナナール及び／又はノネナール；
−  芳香性ハーブ成分：ユーカリ油、樟脳、ユーカリプトール、５−メチルトリシクロ［６．２．１．０〜２，７〜］ウンデカン−４−オン、１−メトキシ−３−ヘキサンチオール、２−エチル−４，４−ジメチル−１，３−オキサチアン、２，２，７／８，９／１０−テトラメチルスピロ［５．５］ウンデセ−８−エン−１−オン、メントール及び／又はアルファ−ピネン；
−  バルサム成分：クマリン、エチルバニリン及び／又はバニリン；
−  シトラス成分、ジヒドロミリセノール、シトラール、オレンジ油、リナリルアセテート、シトロネリルニトリル、オレンジテルペン、リモネン、１−Ｐ−メンテン−８−イルアセテート及び／又は１，４（８）−Ｐ−メンタジエン；
−  フローラル成分：メチルジヒドロジャスモネート、リナロール、シトロネロール、フェニルエタノール、３−（４−ｔｅｒｔ−ブチルフェニル）−２−メチルプロパナール、ヘキシルシンナムアルデヒド、ベンジルアセテート、ベンジルサリチレート、テトラヒドロ−２−イソブチル−４−メチル−４（２Ｈ）−ピラノール、ベータイオノン、メチル２−（メチルアミノ）ベンゾエート、（Ｅ）−３−メチル−４−（２，６，６−トリメチル−２−シクロヘキセン−１−イル）−３−ブテン−２−オン、（１Ｅ）−１−（２，６，６−トリメチル−２−シクロヘキセン−１−イル）−１−ペンテン−３−オン、１−（２，６，６−トリメチル−１，３−シクロヘキサジエン−１−イル）−２−ブテン−１−オン、（２Ｅ）−１−（２，６，６−トリメチル−２−シクロヘキセン−１−イル）−２−ブテン−１−オン、（２Ｅ）−１−［２，６，６−トリメチル−３−シクロヘキセン−１−イル］−２−ブテン−１−オン、（２Ｅ）−１−（２，６，６−トリメチル−１−シクロヘキセン−１−イル）−２−ブテン−１−オン、２，５−ジメチル−２−インダンメタノール、２，６，６−トリメチル−３−シクロヘキセン−１−カルボキシレート、３−（４，４−ジメチル−１−シクロヘキセン−１−イル）プロパナール、ヘキシルサリチレート、３，７−ジメチル−１，６−ノナジエン−３−オール、３−（４−イソプロピルフェニル）−２−メチルプロパナール、バージルアセテート、ゲラニオール、Ｐ−メンタ−１−エン−８−オール、４−（１，１−ジメチルエチル）−１−シクロヘキシルアセテート、１，１−ジメチル−２−フェニルエチルアセテート、４−シクロヘキシル−２−メチル−２−ブタノール、アミルサリチレート、高シスメチルジヒドロジャスモネート、３−メチル−５−フェニル−１−ペンタノール、バージルプロピオネート、ゲラニルアセテート、テトラヒドロリナロール、シス−７−Ｐ−メタノール、プロピル（Ｓ）−２−（１，１−ジメチルプロポキシ）プロパノエート、２−メトキシナフタレン、２，２，２−トリクロロ−１−フェニルエチルアセテート、４／３−（４−ヒドロキシ−４−メチルペンチル）−３−シクロヘキセン−１−カルバルデヒド、アミルシンナムアルデヒド、８−デセン−５−オリド、４−フェニル−２−ブタノン、イソノニルアセテート、４−（１，１−ジメチルエチル）−１−シクロヘキシルアセテート、バージルイソブチレート及び／又はメチルイオノン異性体の混合物；
−  フルーティー成分：ガンマ−ウンデカラクトン、２，２，５−トリメチル−５−ペンチルシクロペンタノン、２−メチル−４−プロピル−１，３−オキサチアン、４−デカノリド、エチル  ２−メチル−ペンタノエート、ヘキシルアセテート、エチル  ２−メチルブタノエート、ガンマ−ノナラクトン、アリルヘプタノエート、２−フェノキシエチルイソブチレート、エチル  ２−メチル−１，３−ジオキソラン−２−アセテート、３−（３，３／１，１−ジメチル−５−インダニル）プロパナール、ジエチル  １，４−シクロヘキサンジカルボキシレート、３−メチル−２−ヘキセン−１−イルアセテート、１−［３，３−ジメチルシクロヘキシル］エチル［３−エチル−２−オキシラニル］アセテート及び／又はジエチル  １，４−シクロヘキサンジカルボキシレート；
−  グリーン成分：２−メチル−３−ヘキサノン（Ｅ）−オキシム、２，４−ジメチル−３−シクロヘキセン−１−カルバルデヒド、２−ｔｅｒｔ−ブチル−１−シクロヘキシルアセテート、スチラリルアセテート、アリル（２−メチルブトキシ）アセテート、４−メチル−３−デセン−５−オール、ジフェニルエーテル、（Ｚ）−３−ヘキセン−１−オール及び／又は１−（５，５−ジメチル−１−シクロヘキセン−１−イル）−４−ペンテン−１−オン；
−  ムスク成分：１，４−ジオキサ−５，１７−シクロヘプタデカンジオン、（Ｚ）−４−シクロペンタデセン−１−オン、３−メチルシクロペンタデカノン、１−オキサ−１２−シクロヘキサデセン−２−オン、１−オキサ−１３−シクロヘキサデセン−２−オン、（９Ｚ）−９−シクロヘプタデセン−１−オン、２−｛１Ｓ）−１−［（１Ｒ）−３，３−ジメチルシクロヘキシル］エトキシ｝−２−オキサエチルプロピオネート、３−メチル−５−シクロペンタデセン−１−オン、１，３，４，６，７，８−ヘキサヒドロ−４，６，６，７，８，８−ヘキサメチル−シクロペンタ−ｇ−２−ベンゾピラン、（１Ｓ，１’Ｒ）−２−［１−（３’，３’−ジメチル−１’−シクロヘキシル）エトキシ］−２−メチルプロピルプロパノエート、オキサシクロヘキサデカン−２−オン及び／又は（１Ｓ，１’Ｒ）−［１−（３’，３’−ジメチル−１’−シクロヘキシル）エトキシカルボニル］メチルプロパノエート；
−  ウッディー成分：１−［（１ＲＳ，６ＳＲ）−２，２，６−トリメチルシクロヘキシル］−３−ヘキサノール、３，３−ジメチル−５−［（１Ｒ）−２，２，３−トリメチル−３−シクロペンテン−１−イル］−４−ペンテン−２−オール、３，４’−ジメチルスピロ［オキシラン−２，９’−トリシクロ［６．２．１．０２，７］ウンデセ［４］エン、（１−エトキシエトキシ）シクロドデカン、２，２，９，１１−テトラメチルスピロ［５．５］ウンデセ−８−エン−１−イルアセテート、１−（オクタヒドロ−２，３，８，８−テトラメチル−２−ナフタレニル）−１−エタノン、パチュリ油、パチュリ油のテルペン画分、ｃｌｅａｒｗｏｏｄ（登録商標）、（１’Ｒ，Ｅ）−２−エチル−４−（２’，２’，３’−トリメチル−３’−シクロペンテン−１’−イル）−２−ブテン−１−オール、２−エチル−４−（２，２，３−トリメチル−３−シクロペンテン−１−イル）−２−ブテン−１−オール、メチルセドリルケトン、５−（２，２，３−トリメチル−３−シクロペンテニル）−３−メチルペンタン−２−オール、１−（２，３，８，８−テトラメチル−１，２，３，４，６，７，８，８ａ−オクタヒドロナフタレン−２−イル）エタン−１−オン及び／又はイソボルニルアセテート；
−  他の成分（例えばアンバー、パウダリースパイシー又はウォータリー）：ドデカヒドロ−３ａ，６，６，９ａ−テトラメチル−ナフト［２，１−ｂ］フラン及び任意のその立体異性体、ヘリオトロピン、アニスアルデヒド、オイゲノール、シンナムアルデヒド、チョウジ油、３−（１，３−ベンゾジオキソール−５−イル）−２−メチルプロパナール、７−メチル−２Ｈ−１，５−ベンゾジオキセピン−３（４Ｈ）−オン、２，５，５−トリメチル−１，２，３，４，４ａ，５，６，７−オクタヒドロ−２−ナフタレノール、１−フェニルビニルアセテート、６−メチル−７−オキサ−１−チア−４−アザスピロ［４．４］ノナン及び／又は３−（３−イソプロピル−１−フェニル）ブタナール。
【００３３】
本発明による香料ベースは、これらに制限されないが前記した付香補助成分であってよく、これらの補助成分の他の多くは、いずれにしても、参考文献、例えばＳ． ＡｒｃｔａｎｄｅｒによるＰｅｒｆｕｍｅ ａｎｄ Ｆｌａｖｏｒ Ｃｈｅｍｉｃａｌｓ， １９６９， Ｍｏｎｔｃｌａｉｒ， Ｎｅｗ Ｊｅｒｓｅｙ， ＵＳＡ、又はその最新版において、又は同様の種類の他の著作において、並びに香料の分野における豊富な特許文献において挙げられている。前記補助成分は、プロ香料（ｐｒｏｐｅｒｆｕｍｅ）又はプロフレグランス（ｐｒｏｆｒａｇｒａｎｃｅ）としても公知の制御された方法で種々のタイプの付香化合物を放出することが公知の化合物であってもよいとも解される。適したプロ香料の制限のない例は、４−（ドデシルチオ）−４−（２，６，６−トリメチル−２−シクロヘキセン−１−イル）−２−ブタノン、４−（ドデシルチオ）−４−（２，６，６−トリメチル−１−シクロヘキセン−１−イル）−２−ブタノン、トランス−３−（ドデシルチオ）−１−（２，６，６−トリメチル−３−シクロヘキセン−１−イル）−１−ブタノン、２−フェニルエチルオキソ（フェニル）アセテート又はそれらの混合物を含んでよい。
【００３４】
「香料補助剤」に関しては、ここで、追加の付加効果、例えば色、特定の耐光性、化学安定性等を付与することができる成分を意味する。付香組成物において慣用的に使用される補助剤の性質及びタイプの詳細な説明は網羅的なものにはなりえないが、しかし該成分が当業者に周知であることを挙げるべきである。特定の制限のない例として以下を挙げてよい：粘性剤（例えば、界面活性剤、増粘剤、ゲル化及び／又はレオロジー改質剤）、安定剤（例えば、防腐剤、酸化防止剤、熱／光及び又は緩衝液又はキレート剤、例えばＢＨＴ）、着色剤（例えば、染料及び／又は顔料）、防腐剤（例えば、抗菌剤又は抗微生物剤又は抗真菌剤又は抗刺激剤）、研磨剤、皮膚冷刺激剤、固定剤、昆虫忌避剤、軟膏、ビタミン及びそれらの混合物。
【００３５】
当業者は、付香組成物の前記構成成分を混和することによって、単に当該技術分野の標準的な知識を適用することによって、及び試行錯誤方法論によって、所望の効果に最適な配合物を完全に設計することができると解される。
【００３６】
少なくとも１つの式（Ｉ）の化合物及び少なくとも１つの香料キャリヤーからなる本発明の組成物は、本発明の特定の実施形態、並びに少なくとも１つの式（Ｉ）の化合物、少なくとも１つの香料キャリヤー、少なくとも１つの香料ベース、及び任意に少なくとも１つの香料補助剤を含む付香組成物からなる。
【００３７】
特定の実施形態に従って、前記組成物は、１つ以上の式（Ｉ）の化合物を含み、かつ香料製造者が、本発明の種々の化合物のにおい香調を呈し、したがって作成の目的のために新たな構成単位を作成する、アコード又は香料を製造することを可能にする。
【００３８】
明確性の理由から、本発明の化合物が出発生成物、中間生成物又は最終生成物として含まれる、化学合成から直接得られるあらゆる混合物、例えば十分な精製を行っていない反応媒体は、該混合物が、香料のための適した形で本発明による化合物を提供しない限りは、本発明に従った付香組成物として考えられないことも理解される。したがって、未精製の反応混合物は、一般に、特に明記されない限り本発明から除外される。
【００３９】
本発明の化合物は、現在の香料、すなわち精製した香料又は機能的香料の全ての分野において、前記（Ｉ）を付加する消費者製品のにおいをポジティブに付与する又は改良するために、有利に使用されてよい。したがって、本発明の他の目的は、付香成分として、前記で定義した式（Ｉ）の少なくとも１つの化合物を含む着香消費者製品からなる。
【００４０】
本発明の化合物は、そのままで、又は本発明による付香組成物の一部として添加することができる。
【００４１】
明確性の理由から、「着香消費者製品」は、少なくとも１つの心地よい付香効果を、付香効果が適用される表面又は空間（例えば皮膚、髪、織物、又は家の表面）に提供する消費者製品を示すこと意味する。言い換えれば、本発明による着香消費者製品は、機能的な調製物、並びに任意に所望の消費者製品に対応する追加の有効物質、及び嗅覚有効量の本発明による化合物の少なくとも１つを含む、着香消費者製品である。明確性の理由から、前記着香消費者製品は、食用でない製品である。
【００４２】
いずれにしても網羅的とはならないであろう着香消費者製品の成分の性質及びタイプは、ここでより詳細な記載を保証するものではなく、その際当業者は、一般的な知識に基づいて、及び該製品の性質及び所望の効果に従って、着香消費者製品の成分の性質及びタイプを選択することができる。
【００４３】
適した着香消費者製品の制限のない例は、香料、例えば精製香料、スプラッシュ又はオーデパルファム、コロン又はシェーブもしくはアフターシェーブローション；布地ケア製品、例えば液体又は固形洗剤、布地用柔軟剤、液体もしくは固体の香りブースター、布地用リフレッシャー、アイロン水、紙、漂白剤、カーペットクリーナー、カーテンケア製品；ボディケア製品、例えばヘアケア製品（例えば、シャンプー、染毛料又はヘアスプレー、カラーケア製品、ヘアシェーピング製品）、デンタルケア製品、消毒剤、インティメイトケア製品；化粧品配合物（例えば、スキンクリーム又はローション、バニシングクリーム又はデオドラント又は発汗抑制剤（例えばスプレー又はロールオン）、脱毛剤、日焼け用又は日焼け後の製品、爪用製品、スキンクレンジング、メイクアップ）；又はスキンケア製品（着香石鹸、シャワー又はバス用のムース、オイルもしくはゲル、又は衛生製品、又はフット／ハンドケア製品）；エアケア製品、例えば住宅スペース（部屋、冷蔵庫、食器棚、靴箱又は車）において及び／又は公共スペース（ホール、ホテル、モール等）において使用されうるエアフレッシュナー又は「すぐに使用できる」粉末状エアフレッシュナー；又はホームケア製品、例えばカビ取り剤、ファーニッシャーケア製品、ワイプ、皿用洗剤又は硬質表面（例えば、床、浴槽、サニタリー又は窓洗浄）洗剤；レザーケア製品；カーケア製品、例えば磨き剤、ワックス又はプラスチッククリーナーを含む。
【００４４】
いくつかの前記着香消費者製品は、本発明の化合物にとってアグレッシブな媒体であることもあるため、適切な外部刺激、例えば酵素、光、熱又はｐＨの変化に対して、例えばカプセル化によって、又は本発明の成分の放出に適した他の化学物質との化学的結合によって本発明による化合物を早すぎる分解から保護する必要がある場合がある。
【００４５】
種々の前記製品又は組成物中に組込まれてよい本発明による化合物における割合は、広い範囲の値で変動する。これらの値は、着香されるべき物品の性質に、並びに所望の感覚受容性効果及び本発明による化合物が、付香補助成分、溶剤又は先行技術において通常使用される添加剤と混合される場合に、与えられたベースにおける補助成分の性質に依存する。
【００４６】
例えば、付香組成物の場合において、典型的に濃度は、組込まれてよい組成物の質量に対して、本発明の化合物の０．００１質量％〜１０質量％、又はそれ以上の範囲である。着香消費者製品の場合において、典型的な濃度は、組込まれてよい組成物の質量に対して、本発明の化合物の０．００１質量％〜５質量％、又はそれ以上の範囲である。
【００４７】
本発明の化合物を、以下に記載した当業者に公知の標準方法に従って製造できる。
【００４８】
実施例
本発明を以下の実施例によってさらに詳細に記載するが、ここで略号は当該技術分野において通常の意味を有し、温度は摂氏（℃）で示す。ＮＭＲスペクトルのデータは、ＣＤＣｌ3（その他の記載がない限り）中で、1Ｈ及び13Ｃについて３６０ＭＨｚ又は４００ＭＨｚの機器で記録し、ケミカルシフトδは、標準としてＴＭＳを基準としてｐｐｍで記載し、結合定数Ｊを、Ｈｚで記載する。
【００４９】
実施例１
式（Ｉ）の化合物の合成
２−（ヘキセ−５−エン−１−イル）シクロペンタン−１−オン
ステップ１：エチル  １−（ヘキセ−５−エン−１−イル）−２−オキソシクロペンタン−１−カルボキシレート：
室温でアセトン（８７１ｍＬ）中エチル  ２−オキソシクロペンタン−１−カルボキシレート（５６ｍＬ、３７５ｍｍｏｌ、１当量）の溶液に、炭酸カリウム（１１８ｇ、８４５ｍｍｏｌ、２．２５当量）及びヨウ化カリウム（２０ｇ、１２０ｍｍｏｌ、０．３２当量）を急速に添加した。１０分間撹拌後に、アセトン（２３２ｍｌ）中６−ブロモヘキセ−１−エン（５１ｍＬ、３８１ｍｍｏｌ、１．０１当量）を添加し、そして反応物を１９時間還流した。ジエチルエーテル（９００ｍＬ）を添加し、その混合物をセライトパッド上で濾過し、そしてその溶媒を蒸発させた。残りをエーテルで希釈し、水及びブラインで洗浄し、硫酸ナトリウム上で乾燥させ、そして真空内で濃縮して、油状物としてエチル  １−（ヘキセ−５−エン−１−イル）−２−オキソシクロペンタン−１−カルボキシレートを得た（９３．３ｇ、純度９１％、収率９５％）。
【数１】
2022502518.tif 000006
【００５０】
ステップ２：２−（ヘキセ−５−エン−１−イル）シクロペンタン−１−オン：
室温でメタノール（８６０ｍＬ）中でステップ１のケトエステル（９３．３ｇ、純度９１％、３５６ｍｍｏｌ、１当量）の溶液に、６ＭのＨＣｌ水溶液（４２８ｍＬ、２．５７ｍｏｌ、７．２当量）を滴加した。その反応物を６日間還流した。ジエチルエーテルを添加し、その水性層をエーテルで２回抽出した。合した有機抽出物を、水、重炭酸ナトリウムの飽和溶液、水及びブラインで順次洗浄し、硫酸ナトリウム上で乾燥させ、濾過し、そして真空内で濃縮した。残りを、Ｖｉｇｒｅｕｘカラム（９２〜９３℃、１．５ｍｂａｒ）上で蒸留により精製して、油状物として所望のケトンを得た（４２．０ｇ、収率７１％）。
【数２】
2022502518.tif 000007
【００５１】
２−（ヘプテ−６−エン−１−イル）シクロペンタン−１−オン
ステップ１：エチル  １−（ヘプテ−６−エン−１−イル）−２−オキソシクロペンタン−１−カルボキシレート：
室温でアセトン（６２ｍＬ）中エチル  ２−オキソシクロペンタン−１−カルボキシレート（３．５６ｍＬ、２６．７ｍｍｏｌ、１当量）の溶液に、炭酸カリウム（８．４３ｇ、６０．４ｍｍｏｌ、２．２５当量）及びヨウ化カリウム（１．４３ｇ、８．５５ｍｍｏｌ、０．３２当量）を急速に添加した。１０分間撹拌後に、アセトン（１７ｍｌ）中７−ブロモヘプテ−１−エン（４．２３ｍＬ、２６．９ｍｍｏｌ、１．０１当量）を添加し、そして反応物を２３時間還流した。ジエチルエーテル（１００ｍＬ）を添加し、その混合物をセライトパッド上で濾過し、そしてその溶媒を蒸発させた。残りをエーテルで希釈し、水及び塩水で洗浄し、硫酸ナトリウム上で乾燥させ、そして真空内で濃縮して、油状物としてエチル  １−（ヘプテ−６−エン−１−イル）−２−オキソシクロペンタン−１−カルボキシレートを得た（６．３７ｇ、純度８８％、収率９２％）。
【００５２】
ステップ２：２−（ヘプテ−６−エン−１−イル）シクロペンタン−１−オン：
室温でメタノール（５９ｍＬ）中でステップ１のケトエステル（６．６４ｇ、純度８８％、２４．５ｍｍｏｌ、１当量）の溶液に、６ＭのＨＣｌ水溶液（２９．４ｍＬ、１７７ｍｏｌ、７．２当量）を滴加した。その反応物を５日間還流した。ジエチルエーテルを添加し、その水性層をエーテルで２回抽出した。合した有機抽出物を、水、重炭酸ナトリウムの飽和溶液、水及びブラインで順次洗浄し、硫酸ナトリウム上で乾燥させ、濾過し、そして真空内で濃縮した。残りをシリカゲル上でフラッシュカラムクロマトグラフィー（ヘプタン／ＡｃＯＥｔ  ９５：５）及びバルブツーバルブ蒸留（１１５℃、０．８−０．９ｍｂａｒ）により精製して、油状物として所望のケトンを得た（３．０６ｇ、収率６８％）。
【数３】
2022502518.tif 000008
【００５３】
実施例２
付香組成物の製造
付香組成物を、次の成分を混合することによって製造した：
【表１−１】
2022502518.tif 000009
【表１−２】
2022502518.tif 000010
１）  ペンタデカノリド；出所：Ｆｉｒｍｅｎｉｃｈ ＳＡ、Ｇｅｎｅｖａ、Ｓｗｉｔｚｅｒｌａｎｄ
２）  メチルジヒドロジャスモネート；出所：Ｆｉｒｍｅｎｉｃｈ ＳＡ、Ｇｅｎｅｖａ、Ｓｗｉｔｚｅｒｌａｎｄ
３）  （１Ｓ，１’Ｒ）−２−［１−（３’，３’−ジメチル−１’−シクロヘキシル）エトキシ］−２−メチルプロピルプロパノエート；出所：Ｆｉｒｍｅｎｉｃｈ ＳＡ、Ｇｅｎｅｖａ、Ｓｗｉｔｚｅｒｌａｎｄ
４）  ２−ｔｅｒｔ−ブチル−１−シクロヘキシルアセテート；出所：Ｉｎｔｅｒｎａｔｉｏｎａｌ Ｆｌａｖｏｒｓ ＆ Ｆｒａｇｒａｎｃｅｓ、ＵＳＡ。
【００５４】
前記組成物に８０質量部の２−（ヘキセ−５−エン−１−イル）シクロペンタン−１−オンを添加して、よりジューシーでナチュラルにするわずかに酸味のある一面を有するフルーティー−エキゾチックな（マンゴー及びパッションフルーツのような）コノテーションを付与した。
【００５５】
本発明の化合物の代わりに、２−ヘプチルシクロペンタン−１−オン（Ｆｌｅｕｒａｍｏｎｅ）を添加した場合に、前記組成物においてほとんど効果が観察されない。前記組成物は、わずかによりフローラル（ジャスミンのような）になる。
【００５６】
本発明の化合物の代わりに、２−ペンチルシクロペンタン−１−オン（Ｄｅｌｐｈｏｎｅ）を添加した場合に、香料組成物は、はるかにグリーン（セロリのような）及びよりフローラル（ジャスミンのような）になる。
【００５７】
実施例３
本発明の化合物を含む液体洗剤の配合
【表２】
2022502518.tif 000011
１）  Ｈｏｓｔａｐｕｒ ＳＡＳ ６０；供給元：Ｃｌａｒｉａｎｔ
２）  Ｅｄｅｎｏｒ Ｋ １２−１８；供給元：Ｃｏｇｎｉｓ
３）  Ｇｅｎａｐｏｌ ＬＡ ０７０；供給元：Ｃｌａｒｉａｎｔ
４）  供給元：Ｇｅｎｅｎｃｏｒ Ｉｎｔｅｒｎａｔｉｏｎａｌ
５）  Ａｃｕｌｙｎ ８８；供給元：Ｄｏｗ Ｃｈｅｍｉｃａｌ。
【００５８】
液体洗剤を、液体洗剤の全質量に対して、本発明の実施例２の組成物の１．５質量％を、穏やかに振盪しながら第１表の無香料液体洗剤調製物に添加することによって配合した。
【００５９】
実施例４
本発明の化合物を含む布地用柔軟剤の配合
【表３】
2022502518.tif 000012
１）  Ｓｔｅｐａｎｔｅｘ ＶＬ９０ Ａ Ｄｉｅｓｔｅｒ Ｑｕａｔ；供給元：Ｓｔｅｐａｎ
２）  Ｐｒｏｘｅｌ  ＧＸＬ；  供給元：  Ａｒｃｈ。
【００６０】
柔軟剤を、６５℃で加熱したメチルビス［エチル（牛脂脂肪酸）］−２−ヒドロキシエチルアンモニウムメチルスルフェートを秤量することにより配合した。そして水及び１，２−ベンズイソチアゾリン−３−オンを反応器中に置き、撹拌下で６５℃で加熱した。前記混合物に、メチルビス［エチル（牛脂脂肪酸）］−２−ヒドロキシエチルアンモニウムメチルスルフェートを添加した。その混合物を、１５分撹拌し、ＣａＣｌ2を添加した。そして、柔軟剤の全質量に対して、本発明の実施例２の組成物０．５〜２質量％を添加した。その混合物を、１５分撹拌し、撹拌下で室温まで冷却した（粘度測定：結果３５＋／−５ｍＰａｓ（剪断速度１０６秒−１））。
【００６１】
実施例５
本発明の組成物を含む透明な等方性のシャンプーの配合
【表４】
2022502518.tif 000013
１）  Ｕｃａｒｅ Ｐｏｌｙｍｅｒ ＪＲ−４００、供給元：Ｎｏｖｅｏｎ
２）  供給元：Ｓｃｈｗｅｉｚｅｒｈａｌｌ
３）  Ｇｌｙｄａｎｔ、供給元：Ｌｏｎｚａ
４）  Ｔｅｘａｐｏｎ ＮＳＯ ＩＳ、供給元：Ｃｏｇｎｉｓ
５）  Ｔｅｇｏ Ｂｅｔａｉｎ Ｆ ５０、供給元：Ｅｖｏｎｉｋ
６）  Ａｍｐｈｏｔｅｎｓｉｄ ＧＢ ２００９、供給元：Ｚｓｃｈｉｍｍｅｒ ＆ Ｓｃｈｗａｒｚ
７）  Ｍｏｎｏｍｕｌｓ ９０ Ｌ−１２、供給元：Ｇｒｕｅｎａｕ
８）  Ｎｉｐａｇｉｎ Ｍｏｎｏｓｏｄｉｕｍ、供給元：ＮＩＰＡ。
【００６２】
シャンプーを、水中でＰｏｌｙｑｕａｔｅｒｎｉｕｍ−１０を分散させることによって配合した。相Ａの残りの成分を、それぞれ添加後によく混合しながら次々に添加することによってそれぞれ混合した。このプレミックスをＰｏｌｙｑｕａｔｅｒｎｉｕｍ−１０分散液に添加し、さらに５分間混合した。そして、撹拌しながら、予め混合した相Ｂ及び予め混合した相Ｃを添加した（Ｍｏｎｏｍｕｌｓ ９０Ｌ−１２を加熱してＴｅｘａｐｏｎ ＮＳＯ ＩＳ中で溶融した）。撹拌しながら相Ｄ及び相Ｅを添加した。ｐＨをクエン酸溶液でｐＨ：５．５〜６．０になるまで調整して、無香料のシャンプー調製物にした。
【００６３】
着香したシャンプーを、シャンプーの全質量に対して、本発明の実施例２の組成物の０．４〜０．８質量％を、穏やかに振盪しながら第３表の無香料シャンプー調製物に添加することによって配合した。
【００６４】
実施例６
本発明の組成物を含む構造化シャワーゲルの配合
【表５】
2022502518.tif 000014
１）  ＥＤＥＴＡ Ｂ ＰＯＷＤＥＲ；商標及び供給元：ＢＡＳＦ
２）  ＣＡＲＢＯＰＯＬ ＡＱＵＡ ＳＦ−１ ＰＯＬＹＭＥＲ；商標及び供給元：ＮＯＶＥＯＮ
３）  ＺＥＴＥＳＯＬ ＡＯ ３２８ Ｕ；商標及び供給元：ＺＳＣＨＩＭＭＥＲ＆ＳＣＨＷＡＲＺ
４）  ＴＥＧＯ−ＢＥＴＡＩＮ Ｆ ５０；商標及び供給元：ＧＯＬＤＳＣＨＭＩＤＴ
５）  ＫＡＴＨＯＮ ＣＧ；商標及び供給元：ＲＯＨＭ＆ＨＡＳＳ。
【００６５】
シャワーゲルを、シャワーゲルの全質量に対して、本発明の実施例２の組成物の０．５〜１．５質量％を、穏やかに振盪しながら第４表の無香料シャワーゲル調製物に添加することによって配合した。
【００６６】
実施例７
本発明の組成物を含む透明なシャワーゲルの配合
【表６】
2022502518.tif 000015
１）  ＥＤＥＴＡ Ｂ ＰＯＷＤＥＲ；商標及び供給元：ＢＡＳＦ
２）  ＺＥＴＥＳＯＬ ＡＯ ３２８ Ｕ；商標及び供給元：ＺＳＣＨＩＭＭＥＲ＆ＳＣＨＷＡＲＺ
３）  ＴＥＧＯ−ＢＥＴＡＩＮ Ｆ ５０；商標及び供給元：ＧＯＬＤＳＣＨＭＩＤＴ
４）  ＭＥＲＱＵＡＴ ５５０；商標及び供給元：ＬＵＢＲＩＺＯＬ。
【００６７】
透明なシャワーゲルを、シャワーゲルの全質量に対して、本発明の実施例２の組成物の０．５〜１．５質量％を、穏やかに振盪しながら第５表の無香料シャワーゲル調製物に添加することによって配合した。
【００６８】
実施例８
本発明の組成物を含む乳白色のシャワーゲルの配合
【表７】
2022502518.tif 000016
１）  ＥＤＥＴＡ Ｂ ＰＯＷＤＥＲ；商標及び供給元：ＢＡＳＦ
２）  Ｔｅｘａｐｏｎ ＮＳＯ ＩＳ；商標及び供給元：ＣＯＧＮＩＳ
３）  ＭＥＲＱＵＡＴ ５５０；商標及び供給元：ＬＵＢＲＩＺＯＬ
４）  ＤＥＨＹＴＯＮ ＡＢ−３０；商標及び供給元：ＣＯＧＮＩＳ
５）  ＧＬＵＣＡＭＡＴＥ ＬＴ；商標及び供給元：ＬＵＢＲＩＺＯＬ
６）  ＥＵＰＥＲＬＡＮ ＰＫ ３０００ ＡＭ；商標及び供給元：ＣＯＧＮＩＳ
７）  ＣＲＥＭＯＰＨＯＲ ＲＨ ４０；商標及び供給元：ＢＡＳＦ。
【００６９】
透明なシャワーゲルを、シャワーゲルの全質量に対して、本発明の実施例２の組成物の０．５〜１．５質量％を、穏やかに振盪しながら第６表の無香料シャワーゲル調製物に添加することによって配合した。
【００７０】
実施例９
本発明の組成物を含む真珠光沢のシャンプーの配合
【表８】
2022502518.tif 000017
１）  ＥＤＥＴＡ Ｂ ＰＯＷＤＥＲ、供給元：ＢＡＳＦ
２）  Ｊａｇｕａｒ Ｃ１４ Ｓ、供給元：Ｒｈｏｄｉａ
３）  Ｕｃａｒｅ Ｐｏｌｙｍｅｒ ＪＲ−４００、供給元：Ｎｏｖｅｏｎ
４）  Ｓｕｌｆｅｔａｌ ＬＡ Ｂ−Ｅ、供給元：Ｚ ｓｃｈｉｍｍｅｒ＆Ｓｃｈｗａｒｚ
５）  Ｚｅｔｅｓｏｌ ＬＡ、供給元：Ｚｓｃｈｉｍｍｅｒ＆Ｓｃｈｗａｒｚ
６）  Ｔｅｇｏ Ｂｅｔａｉｎ Ｆ ５０、供給元：Ｅｖｏｎｉｋ
７）  Ｘｉａｍｅｔｅｒ ＭＥＭ−１６９１、供給元：Ｄｏｗ Ｃｏｒｎｉｎｇ
８）  Ｌａｎｅｔｔｅ １６、供給元：ＢＡＳＦ
９）  Ｃｏｍｐｅｒｌａｎ １００、供給元：Ｃｏｇｎｉｓ
１０）  Ｃｕｔｉｎａ ＡＧＳ、供給元：Ｃｏｇｎｉｓ
１１）  ＫａｔｈｏｎＣＧ、供給元：Ｒｏｈｍ＆Ｈａａｓ
１２）  Ｄ−Ｐａｎｔｈｅｎｏｌ、供給元：Ｒｏｃｈｅ。
【００７１】
シャンプーを、水中及びＥＤＴＡ四ナトリウム中でグアーヒドロキシプロイルトリモニウムクロリド及びＰｏｌｙｑｕａｔｅｒｎｉｕｍ−１０を分散させることによって調製した。ＮａＯＨの１０％溶液（相Ｂ）を、相Ａが均質になったら添加した。そしてその混合物を７５℃まで加熱した。相Ｄ成分を添加し、均質になるまで混合した。その混合物を冷却した。４５℃で、相Ｅを混合しながら添加した。最終粘度を、２５％ＮａＣｌ溶液で調整し、ｐＨ５．５〜６に１０％ＮａＯＨ溶液で調整した。
【００７２】
着香した真珠光沢のシャンプーを、シャンプーの全質量に対して、本発明の実施例２の組成物の０．４〜０．８質量％を、穏やかに振盪しながら第７表の無香料シャンプー調製物に添加することによって配合した。
【００７３】
実施例１０
本発明の組成物を含む構造化シャワーゲルの調製
【表９】
2022502518.tif 000018
１）  ＥＤＥＴＡ Ｂ ＰＯＷＤＥＲ；商標及び供給元：ＢＡＳＦ
２）  ＣＡＲＢＯＰＯＬ ＡＱＵＡ ＳＦ−１ ＰＯＬＹＭＥＲ；商標及び供給元：ＮＯＶＥＯＮ
３）  ＺＥＴＥＳＯＬ ＡＯ ３２８ Ｕ；商標及び供給元：ＺＳＣＨＩＭＭＥＲ＆ＳＣＨＷＡＲＺ
４）  ＴＥＧＯ−ＢＥＴＡＩＮ Ｆ ５０；商標及び供給元：ＧＯＬＤＳＣＨＭＩＤＴ
５）  ＫＡＴＨＯＮ ＣＧ；商標及び供給元：ＲＯＨＭ＆ＨＡＳＳ。
【００７４】
透明なシャワーゲルを、シャワーゲルの全質量に対して、本発明の実施例２の組成物の０．５〜１．５質量％を、穏やかに振盪しながら第８表の無香料シャワーゲル調製物に添加することによって配合した。
【００７５】
実施例１１
本発明の化合物を含むオードトワレの配合
オードトワレを、オードトワレの全質量に対して、本発明の実施例２の組成物の５〜２０質量％を、穏やかに振盪しながらエタノールに添加することによって配合した。
【国際調査報告】
2022502518.tif 000021
2022502518.tif 000022
2022502518.tif 000023